(57)【要約】【課題】  引き出したコードを位置決めし、コードを一度で巻き取ることも少しずつ巻き取ることもでき、操作の正確性が高く、コストが低廉な二方向コードリールの提供。【解決手段】  巻取り方向へ付勢された巻取り盤４が回転して、コード５の両側部分が引出し・巻取りされ、巻取り盤４に形成した位置決め軌道は、コード５を引出して解放した後、回転規制位置にある位置決め部材８と係止して、巻取り盤４の巻取り方向への回転を規制する停止溝と、位置決め部材８が停止溝から外れた後、巻取り盤４が巻取り方向へ回転する際に、位置決め部材８を巻取り盤４の回転を規制しない退避位置へ回動させる突出部及び第二突出部と、位置決め部材８が退避位置にある状態で、巻取り盤４が引出方向へ回転したとき、位置決め部材８を回転規制位置へ回動させる方向転換部と、位置決め部材８を突出部、停止溝及び方向転換部へ案内する案内部とを有する。【選択図】          図２
0003109214.tif 000002
【実用新案登録請求の範囲】
【請求項１】
互いに組み付けられて外殻を構成する上蓋及び下蓋と、該上蓋と下蓋との間に収納された巻取り盤、ぜんまい及び位置決め部材と、コードとを備え、前記巻取り盤は前記外殻の中心軸の回りを回転可能であり、前記コードの中間部が巻取り盤に固定されると共に、その両側部分が前記巻取り盤の外周にそれぞれ上下２段に巻き付けられて、外殻の外部へ延び、前記巻取り盤が回転することにより、前記コードの両側部分を引き出し・巻き取り可能であり、前記ぜんまいは、その両端がそれぞれ前記巻取り盤及び外殻に固定されて、前記コードが引き出された時に、前記巻取り盤をコード巻き取り方向へ回転するよう付勢し、前記位置決め部材は前記下蓋の外縁部に回動可能に取り付けられると共に、その一端に形成された位置決め片が外殻の中心軸方向を向くよう付勢され、前記巻取り盤の下面に前記位置決め部材の位置決め片と係合する位置決め軌道を形成し、該位置決め軌道は、前記コードを引き出してから解放した後、回転規制位置にある前記位置決め部材の位置決め片と係止して、前記巻取り盤のコード巻き取り方向への回転を規制する停止溝と、前記位置決め片が停止溝から外れた後、前記巻取り盤がコード巻き取り方向へ回転する際に、前記位置決め部材を押圧して前記巻取り盤の回転を規制しない退避位置へ回動させる突出部と、該突出部に続いて前記位置決め部材を押圧し、退避位置へさらに大きく回動させる第二突出部と、前記位置決め部材が退避位置にある状態で、前記巻取り盤がコード引出方向へ回転したとき、前記位置決め部材を回転規制位置へ回動させる方向転換部と、前記巻取り盤の回転に伴って、前記位置決め部材の位置決め片を前記突出部、停止溝及び方向転換部へ案内する案内部とを有することを特徴とした二方向コードリール。
【考案の詳細な説明】
【技術分野】
【０００１】
本考案は、コンピュータのデータ伝送ケーブル、電信ネットワーク用伝送ケーブル、電源コード等の両側部分をそれぞれ引出し可能に巻き取る二方向コードリールに関する。
【背景技術】
【０００２】
コンピュータ周辺機器、電信ネットワーク周辺機器等のケーブルは、通常、長さが一定であって、長すぎて収納できなかったり、短すぎて使用できないことも多く、また、複数のケーブルを同時に配線することもあった。
ケーブルが長すぎる場合は、折り曲げて縛ることにより、邪魔にならないよう処理するが、この方法では外観が乱雑になるだけでなく、ケーブルが絡みやすい。特に、ケーブルを折り曲げた状態で長期間放置すると、電力やデータを伝送する能力が低下したり、安全性にも悪影響がある。
【０００３】
従来、位置決めボールを用いてケーブルの引出量を規制するコードリールが知られていた。
図１０及び図１１に示すように、このコードリールＡ１０は、前蓋Ａ１、ぜんまいＡ２、巻き取り座体Ａ３、ケーブル４、位置決めボールＡ５及び後蓋Ａ６を備える。
前蓋Ａ１と後蓋Ａ６を組み付けて成るケース内に巻き取り座体Ａ３、ケーブル４、位置決めボールＡ５を収納し、巻き取り座体Ａ３内にぜんまいＡ２を設置してある。そして、ぜんまいＡ２の力で巻き取り座体Ａ３を回転させることにより、引き出したケーブル４４を巻き戻すようになっている。
【０００４】
また、巻き取り座体Ａ３の底部に位置決めボール軌道Ａ３１を形成し、この位置決めボール軌道Ａ３１に位置決めボールＡ５を摺動可能に嵌合することにより、ケーブルＡ４を一定長さだけ引出した時、巻き取り座体Ａ３の回転がいったん規制され、ケーブルＡ４がその引出長さで位置決めされるようになっている。
しかしながら、このような構造は、位置決めボール軌道Ａ３１の設計が非常に難しく、高い加工精度も求められる。この結果、金型により成形が非常に難しいだけでなく、不良品の発生頻度が大幅に増加し、コストの増大が避けられない。
【０００５】
さらに、位置決めボール軌道Ａ３１が摩耗して広くなりすぎると、位置決め精度が低下したり、位置決めボールＡ５が脱落して位置決め機能が全く失われてしまう。このため、上記従来のコードリールＡ１０は、引っ掛けが外れて、ケーブルＡ４の位置決めができなくなることにより、ケーブルＡ４の長さを適正に保つことが不可能となって、コードリールＡ１０の寿命が大幅に短くなってしまう。
また、このコードリールＡ１０では、ケーブルＡ４を巻き取る時に一度に全部の長さを巻き取ることになるので、いったん引き出したケーブルＡ１０を短くした場合には、非常に不便であった。
【考案の開示】
【考案が解決しようとする課題】
【０００６】
本考案が解決しようとする課題は、引き出したコードを位置決めし、コードを一度で巻き取ることも少しずつ巻き取ることもでき、操作の正確性が高く、加工しやすくてコストが低廉で済む二方向コードリールを提供することにある。
【課題を解決するための手段】
【０００７】
本考案の二方向コードリールは、互いに組み付けられて外殻を構成する上蓋及び下蓋と、該上蓋と下蓋との間に収納された巻取り盤、ぜんまい及び位置決め部材と、コードとを備え、前記巻取り盤は前記外殻の中心軸の回りを回転可能であり、前記コードの中間部が巻取り盤に固定されると共に、その両側部分が前記巻取り盤の外周にそれぞれ上下２段に巻き付けられて、外殻の外部へ延び、前記巻取り盤が回転することにより、前記コードの両側部分を引き出し・巻き取り可能であり、前記ぜんまいは、その両端がそれぞれ前記巻取り盤及び外殻に固定されて、前記コードが引き出された時に、前記巻取り盤をコード巻き取り方向へ回転するよう付勢し、前記位置決め部材は前記下蓋の外縁部に回動可能に取り付けられると共に、その一端に形成された位置決め片が外殻の中心軸方向を向くよう付勢され、前記巻取り盤の下面に前記位置決め部材の位置決め片と係合する位置決め軌道を形成し、該位置決め軌道は、前記コードを引き出してから解放した後、回転規制位置にある前記位置決め部材の位置決め片と係止して、前記巻取り盤のコード巻き取り方向への回転を規制する停止溝と、前記位置決め片が停止溝から外れた後、前記巻取り盤がコード巻き取り方向へ回転する際に、前記位置決め部材を押圧して前記巻取り盤の回転を規制しない退避位置へ回動させる突出部と、該突出部に続いて前記位置決め部材を押圧し、退避位置へさらに大きく回動させる第二突出部と、前記位置決め部材が退避位置にある状態で、前記巻取り盤がコード引出方向へ回転したとき、前記位置決め部材を回転規制位置へ回動させる方向転換部と、前記巻取り盤の回転に伴って、前記位置決め部材の位置決め片を前記突出部、停止溝及び方向転換部へ案内する案内部とを有する。
【考案の効果】
【０００８】
本考案によれば、コードを完全に巻き取ることができると共に、コードを必要な長さだけ引き出して、その位置で位置決めすることができるので、配線時の利便性に優れ、配線後の整理も簡単であり、しかも、コードを引き出す際に精度が高い。
また、コードを巻き取る時に、一度に巻き取るか、少しずつ巻き取るかを選択でき、その操作も簡単で、迅速に巻き取ることができる。
さらに、位置決めボールとこれを案内する軌道によって位置決めを行うものに比べて、加工しやすく不良品の発生頻度が減少するのでコストを引き下げることが可能であり、軌道の精度不足や摩耗による動作不良も生じにくく、このため、耐久性が向上し、操作の正確性を得ることができる。
【考案を実施するための最良の形態】
【０００９】
図１乃至図３に示すように、本考案の二方向コードリールは、上蓋１、パッド２、巻取り盤上蓋３、巻取り盤４、コード５、ぜんまい６、下蓋７及び位置決め部材８を備える。
上蓋１と下蓋７とは、二方向コードリールの外殻を構成し、上蓋１の内面中心から下方に向けて突設した中心軸１１が、下蓋７の中心に固定されている。
そして、それぞれ円形平面を有するパッド２、巻取り盤上蓋３及び巻取り盤４が、上蓋１と下蓋７との間に、上からこの順に配置され、上蓋１の中心軸１１がパッド２、巻取り盤上蓋３及び巻取り盤４の中心を貫通している。
【００１０】
図２に示すように、巻取り盤４の上面には円形壁４４が同心状に形成され、その上面が巻取り盤上蓋３で閉鎖されている。
円形壁４４には係止スリット４１が形成され、この係止スリット４１にぜんまい６の一端が固定されている。また、ぜんまい６の他端は、上蓋１の中心軸に形成した嵌入溝１２に固定され、巻取り盤４が正逆両方向に回転すると、ぜんまい６がきつく巻き締められたり、緩んだりし、巻き締められたゼンマイ６の復元力が、巻取り盤４をコード巻き取り方向へ回転させる力となる。
【００１１】
円形壁４４の内側には、略円弧状の挟持片４２を設け、挟持片４２の両端寄りにおいて、円形壁４４にそれぞれコード導入スリット４２１及びコード導出スリット４２２が形成される。
コード５は、コード導入スリット４２１を通して円形壁４４の内側へ引き込まれ、その中間部が円形壁４４と挟持片４２とで挟持固定され、さらにコード導出スリット４２２を通して円形壁４４の外側に引き出される。また、コード５の両側部分は、巻取り盤４と巻取り盤上蓋３との間に上下に二段に重ねた状態で、円形壁４４の外面に巻き付けられ、さらに、上蓋１及び下蓋７の両側からそれぞれ外部に延びており、互いに独立して引き出したり、巻き取ることが可能である。
【００１２】
下蓋７の上面外縁寄りには、位置決め部材８が上方に向けて突出した突起７１を中心として回転可能に取り付けられる。位置決め部材８は、指針状の位置決め片８１を有し、位置決め片８１が一定の方向（本実施例では、下蓋７の中心方向）を指すようにバネ８２で付勢している。
図４乃至図９に示すように、巻取り盤４の下面には、位置決め部材８の位置決め片８１と係合して複数の動作機能を発揮する位置決め軌道４３が形成される。
位置決め軌道４３は、略円弧状の案内部４３４と、案内部４３４に連続して滑らかに陥没した方向転換部４３２と、方向転換部４３２に隣接した突出部４３１と、突出部４３１の方向転換部４３２寄りから外周方向に突出した第２突出部４３１−１と、第２突出部４３１−１と突出部４３１との角部に形成された停止溝４３３とを有する。
【００１３】
図４に示すように、位置決め軌道４３の滑らかな案内部４３４に位置決め片８１が当接している時は、巻取り盤４の回転は規制されない。即ち、コード５が引き出されるときは、位置決め部材８と位置決め軌道４３とはこのような相関関係にある。巻取り盤４はコード引出方向（図の反時計回り）に回転し、位置決め部材８が上方に大きく傾斜した回転規制位置にある。
コード５を解放すると、図５に示すように、ぜんまい６の復帰力により巻取り盤４がコード巻き取り方向（時計回り）に回転し、これに伴い、回転規制位置にある位置決め片８１が案内部４３４に案内されて停止溝４３３内に導入される。
すると、突起７１と位置決め片８１の先端とを結ぶ線が、巻取り盤４の回転方向の接線と一致し、巻取り盤４のコード巻き取り方向への回転が規制されてコード５が位置決めされる。
【００１４】
図６に示すように、この状態からコード５を僅かに引き、巻取り盤４をコード引出方向へ少し回転させると、位置決め片８１は停止溝４３３から脱出する。
次いで、コード５を解放すると、図７に示すように、巻取り盤４はコード巻き取り方向回転して、突出部４３１が位置決め片８１を押しのけて、位置決め部材８を退避位置へ回動させ、続いて、図８に示すように、第２突出部４３１−１が位置決め部材を退避位置へさらに大きく傾斜させる。この状態では、位置決め部材８は位置決め軌道４３に全く引っかかることがないので、引き出されたコード５をぜんまい６の力で一気に巻き取ることができる。
【００１５】
図５の状態からさらにコード５を引き出すと、図９に示すように、位置決め片８１は方向転換部４３２に達し、この位置から巻取り盤４のコード引出方向への回転が継続すると、第２突出部４３１−１に押されて位置決め部材８は回転規制位置へ回動し、図４及び図５に示す状態に戻る。すると、コード５を解放したときに、巻取り盤４の回転が規制されて、コード５は位置決めされる。
また、コード５を巻き戻している時に、いったんコード５を引き出して、図４及び図５に示す状態に戻すと、同じようにコード５の巻き取りが規制される。
即ち、引き出したコード５の位置決めを行うことができると共に、引き出したコード５を一度で巻き取ることも、少しずつ巻き取ることもできる。
【図面の簡単な説明】
【００１６】
【図１】本考案の実施例を示す二方向コードリールの斜視図。
【図２】本考案の実施例を示す二方向コードリールの分解斜視図。
【図３】本考案の実施例を示す二方向コードリールの断面図。
【図４】コード引出時における位置決め軌道と位置決め部材との関係を示す図。
【図５】コード位置決め時における位置決め軌道と位置決め部材との関係を示す図。
【図６】コード位置決め解除時における位置決め軌道と位置決め部材との関係を示す図。
【図７】コード巻き取り当初における位置決め軌道と位置決め部材との関係を示す図。
【図８】図７の状態に続く位置決め軌道と位置決め部材との関係を示す図。
【図９】コード巻取りからコード引出しに転換する際の位置決め軌道と位置決め部材との関係を示す図。
【図１０】従来のコードリールの分解斜視図。
【図１１】従来のコードリールの斜視図。
【符号の説明】
【００１７】
１  上蓋
１１  中心軸
１２  嵌入溝
２  パッド
３  巻取り盤上蓋
４  巻取り盤
４１  係止スリット
４２  挟持片
４２１  コード導入スリット
４２２  コード導出スリット
４３  位置決め軌道
４３１  突出部
４３１−１  第２突出部
４３２  方向転換部
４３３  停止溝
４３４  案内部
４４  円形壁
５  コード
６  ぜんまい
７  下蓋
７１  突起
８  位置決め部材
８１  位置決め片
８２  バネ
【図１】
0003109214.tif 000003
【図２】
0003109214.tif 000004
【図３】
0003109214.tif 000005
【図４】
0003109214.tif 000006
【図５】
0003109214.tif 000007
【図６】
0003109214.tif 000008
【図７】
0003109214.tif 000009
【図８】
0003109214.tif 000010
【図９】
0003109214.tif 000011
【図１０】
0003109214.tif 000012
【図１１】
0003109214.tif 000013